(57)【特許請求の範囲】
【請求項１】
可撓性のシートの少なくとも一辺の縁端に沿ってフロスホルダーのアーチ部を保持可能な挿着部を複数個、列設し、該フロスホルダーを平行に挿着、固定できるようにしたことを特徴とするフロスホルダーの支持具。
【請求項２】
挿着部が一対の挿入孔と該挿入孔間に貫設した切込みからなる請求項１記載のフロスホルダーの支持具。
【請求項３】
シートの任意の隣り合う挿着部間に切離線を設けた請求項１又は請求項２記載のフロスホルダーの支持具。
【発明の詳細な説明】
【０００１】
【発明の属する技術分野】
この発明は、把手の一端に設けたアーチ部にデンタルフロスを張架してなるフロスホルダーを包装等する際に使用するフロスホルダーの支持具に関するものである。
【０００２】
【従来の技術】
簡易な歯間清掃具の一つとして把手の一端にアーチ部を一体に形成すると共に、その先端近傍にデンタルフロスを張架固着してなるフロスホルダーがある。
そして従来、このフロスホルダーを製品として包装する場合、衛生面を考慮して、１つずつ個別に包装すると共にその所要数を箱詰め等する方法が採られていた。或いは、簡易的に、個別包装をしないで所要数をそのまま、いわゆるブリスターパックに梱包する場合もあった。
【０００３】
【発明が解決しようとする課題】
しかしながら、上記個別包装では、その包装作業に多大な手間とコストがかかるものであった。また、ブリスターパックによる梱包ではフロスホルダー同士が互いに絡み合って一つずつ取り出すのが不便であり、パック内に残った個数の把握も困難であった。
【０００４】
本発明は、このような実状に鑑み、フロスホルダーを整列して保持可能とすることにより、該ホルダーを一つずつ、簡単かつ確実に取り出し得るようにすると共に、衛生状態を維持するようにしたフロスホルダーの支持具を提供することを目的とするものである。
【０００５】
【課題を解決するための手段】
上記課題を解決するため本発明は、可撓性のシートの少なくとも一辺の縁端に沿ってフロスホルダーのアーチ部を保持可能な挿着部を複数個、列設し、該フロスホルダーを平行に挿着、固定できるようにするという手段を採用したものである。
【０００６】
そして、より具体的構成としては、上記挿着部を一対の挿入孔と該挿入孔間に貫設した切込みとで構成したものである。
また、必要に応じて、シートの任意の隣り合う挿着部間に切離線を設けるという手段を採用したものである。
【０００７】
上記手段によれば、アーチ部を上記挿着部に嵌入するだけで、デンタルフロスの張架部分等をシートから離れた状態でフロスホルダーを整然と保持できるものである。
また、切離線を介してシートの一部を切り取ることで、フロスホルダーを任意の個数だけ携行できるようになるものである。
【０００８】
【発明の実施の形態】
以下、本発明にかかるフロスホルダーの支持具を図面に示す実施の形態に基づいて更に詳述する。
図１において、１はフロスホルダーであって、一端を楊枝として利用できるように先鋭とした把手２の他端にアーチ部３を設け、該アーチ部３の両先端間にデンタルフロス４を張架したものである。
【０００９】
また、５は例えばポリ塩化ビニル等の可撓性の矩形シート６からなる支持具で、該シート６の四辺のうち互いに対向する二辺の縁端に寄せてそれぞれ上記フロスホルダー１を保持するための挿着部７を適当間隔を置いて複数個、列設したものである。そしてこの挿着部７は、フロスホルダー１のアーチ部３の先端を嵌入して弾性的に保持可能な大きさの一対の挿入孔８、８を該アーチ部３の先端の間隔に合わせてそれぞれ穿設すると共に、該挿入孔８、８間に上記デンタルフロス４が通過する幅の切込み９を貫設して構成したものである。
【００１０】
なお、挿着部７は上記構成に限定するものでなく、アーチ部の先端を嵌入してこれを保持できる形状であればよく、例えばアーチ部先端の間隔に相当する大きさの長孔を設けることによってもほぼ同等の保持力を得ることができる。
【００１１】
次に、図２は上記フロスホルダーの支持具５にフロスホルダー１を挿着した状態を示す説明図であるが、図に示すようにフロスホルダー１の上記アーチ部３をシート６の挿着部７に挿入し、これを保持するものである。即ち、フロスホルダー１のアーチ部３を一対の挿入孔８、８に嵌入すると共に該アーチ部３に張架したデンタルフロス４を切込み９を通過させてシート６の反対側に露出させ、該挿着部７で弾性的に保持するようにしたものである。
従って、デンタルフロスの部分は、支持具５の裏面側に離れた状態で保持され、一方、楊枝として利用される把手の先鋭端部も同様に支持具５の表面から浮いた状態で保持されるため、口腔内で直接歯肉等と接するフロスや先鋭端部がシート６のどこにも接触せず、極めて衛生的である。
【００１２】
而して、上記手順で所要数のフロスホルダーを支持具に整列してブリスターパック等により包装すれば、１本ずつ個別包装するより安価であり、また、バラバラのままで包装する場合に比べて取り出し易く、且つ見栄えのよい製品とすることができる。
また、使用者にとってもフロスホルダーが整然と並べて保持されているため、使用数、或いは残数の確認が容易となるものである。
【００１３】
この場合、図２に示すように、シート６の一辺に沿って列設した各挿着部７にフロスホルダー１を並べて挿着すると共に、他辺側の挿着部７には該シート６の裏側からフロスホルダー１を嵌入して挿着するようにすれば、各フロスホルダーが互いに干渉せず、極めて取り出し易くなると共に、一方のフロスホルダーの端部がシート裏面に挿着した他方のフロスホルダーのデンタルフロス４の張架部分を覆うように保持されるため、該フロス部分を保護するようになる。
【００１４】
なお、フロスホルダーの挿着方法は上記に限定されるものではない。
例えば、図３（Ａ）に示すようにシート６の片面方向のみから交互に向きを変えて挿着するようにすれば、該フロスホルダー１を取り外す際に、両隣のフロスホルダー１の把手端部を押さえることで、シート自体が撓ってアーチ部３の其端が露出するから（同図（Ｂ）参照）、該其端部を持てば極めて容易に取り出せるようになると共に、支持具５の片面に保持するため、包装の嵩を低く抑えることが可能となる。また、フロスホルダーが少数の場合には、上記支持具の挿着部７はシート６の少なくとも一辺縁端に設ければよく、双方に設けた場合に片方のみを使用してもよい。
【００１５】
また、上記いずれの挿着方法によっても、利用者は支持具５の一部を切り取ることにより、旅行等の際、所望の個数だけ携行できるようになり、切り取った支持具はそのまま携行容器となる。この場合、例えばシート６の任意の隣り合う挿着部７、７間に予めミシン目を貫設しておくか、或いは、溝を条設して切離線１０とし、該切離線１０に沿って支持具の一部を切り取るようにする。
【００１６】
【発明の効果】
以上述べたように、本発明に係るフロスホルダーの支持具は、シートに列設した複数の挿着部にフロスホルダーを嵌入して挿着するだけで、個々のフロスホルダーを取り出し易く且つ極めて安価に包装することができるものである。また、デンタルフロスの部分等を該シートから浮かせた状態で保持できるため、衛生の面でも優れたものである。
【００１７】
更に、各フロスホルダーを整然と並べて保持しているため、個数管理が容易であり、また、必要に応じて任意の個数を切り離して携行できるなど多面に渡る優れた効果が期待できるものである。
【図面の簡単な説明】
【図１】本発明に係るフロスホルダーの支持具の実施の態様の例を示す斜視図
【図２】本支持具を使用してフロスホルダーを挿着した例を示す説明断面図
【図３】フロスホルダーの他の挿着例を示す説明断面図
【符号の説明】
１      フロスホルダー
３      アーチ部
５      支持具
６      シート
７      挿着部
８      挿入孔
９      切込み
１０      切離線
【図１】
0003734188.tif 000002
【図２】
0003734188.tif 000003
【図３】
0003734188.tif 000004